(57)【要約】【課題】  小さなトルクを発生可能な駆動源を用いて退避レンズ保持枠をレンズ群が撮影光軸上へ進出した進出位置と撮影光軸上から退避した退避位置との間で回動可能なレンズ鏡胴を提供する。【解決手段】  本発明のレンズ鏡胴は、レンズ群の一部を保持して本体部に収納された収納位置と被写体側に向かって本体部から繰り出された繰り出し位置との間で可動される可動鏡筒と、レンズ群の一部７を保持して撮影光軸上から退避した退避位置と撮影光軸上に進出した進出位置との間で撮影光軸と直交する面内で回動されかつその進出位置で被写体側に向かって撮影光軸と平行な方向に可動される退避レンズ保持枠２０とを有する。  本体部２には、進出位置から繰り出し位置までの可動領域間の途中段階で、退避レンズ保持枠２０を撮影光軸に向かう方向に回動付勢する第１付勢部材３４と、退避レンズ保持枠２０を繰り出し位置に向かう方向とは逆方向に付勢する第２付勢部材２７とが設けられている。【選択図】  図５
2010217511.tif 000002
【特許請求の範囲】
【請求項１】
複数個のレンズの一部を保持して本体部に収納された収納状態と前記本体部から被写体側に向かって繰り出された繰り出し状態との間で移動する可動鏡筒と、前記複数個のレンズの残りの一部である退避レンズを保持する退避レンズ保持枠とを有するレンズ駆動装置であって、
前記退避レンズ保持枠は、前記退避レンズを、撮影光軸上から退避した退避位置と前記撮影光軸上の進出位置との間で前記撮影光軸に接近又は離脱する方向である第２の方向に移動させ、かつ、前記進出位置において前記撮影光軸に平行な第１の方向に所定の可動範囲内を移動させ、前記本体部には、前記退避レンズ保持枠が前記所定の可動範囲内の所定の撮影範囲内に位置する場合に、前記第２の方向に前記退避レンズ保持枠を付勢する第１付勢部材と、前記第１の方向に前記退避レンズ保持枠を付勢する第２付勢部材とが設けられ、
前記第１付勢部材は、前記退避レンズが、前記進出位置における前記所定の可動範囲内で前記第１の方向に沿って前記被写体側に向かう向きへ移動し、かつ、前記撮影範囲外の外に位置する場合に、前記第２の方向への付勢を開始することを特徴とするレンズ駆動装置。
【請求項２】
複数個のレンズの一部を保持して本体部に収納された収納状態と前記本体部から被写体側に向かって繰り出された繰り出し状態との間で移動する可動鏡筒と、前記複数個のレンズの残りの一部である退避レンズを保持する退避レンズ保持枠とを有するレンズ駆動装置であって、
前記退避レンズ保持枠は、前記退避レンズを、撮影光軸上から退避した退避位置と前記撮影光軸上の進出位置との間で前記撮影光軸に接近又は離脱する方向である第２の方向に移動させ、かつ、前記進出位置において前記撮影光軸に平行な第１の方向に所定の可動範囲内を移動させ、前記本体部には、前記退避レンズ保持枠が前記所定の可動範囲内の所定の撮影範囲内に位置する場合に、前記退避レンズ保持枠と当接し、前記第２の方向に前記退避レンズ保持枠を付勢する第１付勢部材と、前記第１の方向に前記退避レンズ保持枠を付勢する第２付勢部材とが設けられ、
前記第１付勢部材と前記退避レンズ保持枠とは、前記退避レンズが、前記進出位置における前記所定の可動範囲内で前記第１の方向に沿って前記被写体側に向かう向きへ移動し、かつ、前記撮影範囲の外に位置する場合に、当接を開始することを特徴とするレンズ駆動装置。
【請求項３】
複数個のレンズの一部を保持して本体部に収納された収納状態と前記本体部から被写体側に向かって繰り出された繰り出し状態との間で移動する可動鏡筒と、前記複数個のレンズの残りの一部である退避レンズを保持する退避レンズ保持枠とを有するレンズ駆動装置であって、
前記退避レンズ保持枠は、前記退避レンズを、撮影光軸上から退避した退避位置と前記撮影光軸上の進出位置との間で前記撮影光軸に接近又は離脱する方向である第２の方向に移動させ、かつ、前記進出位置において前記撮影光軸に平行な第１の方向に所定の可動範囲内を移動させ、前記本体部には、前記退避レンズ保持枠が前記所定の可動範囲内の所定の撮影範囲内に位置する場合に、第２の方向に前記退避レンズ保持枠を付勢する第１付勢部材と、前記第１の方向に前記退避レンズ保持枠を付勢する第２付勢部材とが設けられ、
前記第１付勢部材と前記退避レンズ保持枠とは、前記退避レンズが、前記進出位置における前記所定の可動範囲内で前記第１の方向に沿って前記被写体側と反対向きへ移動し、かつ、前記撮影範囲の外に位置する場合に、当接を終了することを特徴とするレンズ駆動装置。
【請求項４】
複数個のレンズの一部を保持して本体部に収納された収納状態と前記本体部から被写体側に向かって繰り出された繰り出し状態との間で移動する可動鏡筒と、前記複数個のレンズの残りの一部である退避レンズを保持する退避レンズ保持枠とを有するレンズ駆動装置であって、
前記退避レンズ保持枠は、前記退避レンズを、撮影光軸上から退避した退避位置と前記撮影光軸上の進出位置との間で前記撮影光軸に接近又は離脱する方向である第２の方向に移動させ、かつ、前記進出位置において前記撮影光軸に平行な第１の方向に所定の可動範囲内を移動させ、前記本体部には、前記退避レンズ保持枠が前記所定の可動範囲内の所定の撮影範囲内に位置する場合に、
前記第２の方向のみに前記退避レンズ保持枠を付勢し、前記退避レンズ保持枠が前記退避位置にある場合には、前記退避レンズ保持枠を付勢しない第１付勢部材と、前記第１の方向のみに前記退避レンズ保持枠を付勢する第２付勢部材とが設けられたことを特徴とするレンズ駆動装置。
【請求項５】
前記本体部の固定枠に固定され、前記退避レンズ保持枠と当接して前記退避レンズ保持枠の前記第１の方向への移動を規制する移動規制部材と、前記第１の方向へ移動して前記退避レンズ保持枠を駆動する駆動部材とを備え、
前記退避位置が前記可動鏡筒の外の位置でかつ前記固定枠の中の位置に配置され、前記退避レンズ保持枠が前記駆動部材と係合するカム部を備え、前記駆動部材と前記カム部とが係合し、かつ、前記退避レンズ保持枠と前記移動規制部材とが当接することにより、前記退避レンズ保持枠が前記第２の方向に移動することを特徴とする請求項１ないし請求項４に記載のレンズ駆動装置。
【請求項６】
前記撮影光軸と平行な方向に延びる第１ガイド部材と、前記撮影光軸と平行な方向に延びる第２ガイド部材とを備え、前記退避レンズ保持枠が、前記第１のガイド部材に沿って前記第１の方向に移動し、かつ、前記第１のガイド部材を中心として回動することにより、前記第２の方向に移動し、前記退避レンズ保持枠が前記第２のガイド部材に当接する場合に、前記退避レンズが前記進出位置に配置されることを特徴とする請求項１ないし請求項５のいずれか１項に記載のレンズ駆動装置。
【請求項７】
前記第２付勢部材は、前記退避レンズ保持枠が前記所定の可動範囲内の所定の撮影範囲内に位置する場合に、前記退避レンズ保持枠を付勢することを特徴とする請求項１ないし請求項６のいずれか１項に記載のレンズ駆動装置。
【請求項８】
前記第２付勢部材は、前記退避レンズが前記退避位置にある場合には、前記退避レンズ保持枠を付勢せず、前記退避レンズが進出位置にある場合に付勢を開始することを特徴とする請求項１ないし請求項７のいずれか１項に記載のレンズ駆動装置。
【請求項９】
前記第２付勢部材は、前記退避レンズ保持枠が前記所定の可動範囲内の所定の撮影範囲内に位置する場合に、前記退避レンズ保持枠と当接し、前記退避レンズ保持枠を付勢することを特徴とする請求項１ないし請求項８のいずれか１項に記載のレンズ駆動装置。
【請求項１０】
前記第２付勢部材と前記退避レンズ保持枠とは、前記退避レンズが前記退避位置にある場合には当接しておらず、前記退避レンズが前記進出位置にある場合に当接を開始することを特徴とする請求項１ないし請求項９に記載のレンズ駆動装置。
【請求項１１】
複数個のレンズ群の一部を保持して本体部に収納された収納位置と被写体側に向かって前記本体部から繰り出された繰り出し位置との間で可動される可動鏡筒と、前記複数個のレンズ群の残りの一部を保持して撮影光軸上から退避した退避位置と前記撮影光軸上に進出した進出位置との間で前記撮影光軸と直交する面内で回動されかつ前記進出位置において前記撮影光軸と平行でしかも前記被写体側に向かう繰り出し方向に可動される退避レンズ保持枠とを有し、
前記本体部には、前記進出位置から前記繰り出し位置までの可動領域間の途中段階で、前記退避レンズ保持枠を前記撮影光軸に向かう方向に回動付勢する第１付勢部材と、前記退避レンズ保持枠を繰り出し方向とは反対方向に付勢する第２付勢部材とが設けられていることを特徴とするレンズ鏡胴。
【請求項１２】
前記退避レンズ保持枠は、前記退避位置から前記進出位置に向かって回動された後、前記繰り出し方向に可動されて、前記第１付勢部材により前記撮影光軸に向かう方向に回動付勢されると共に、前記第２付勢部材により前記繰り出し方向と逆方向に付勢されることを特徴とする請求項１１に記載のレンズ鏡胴。
【請求項１３】
前記本体部に前記撮影光軸に平行な方向に延びる駆動部材と主ガイド軸と副ガイド軸とが設けられ、前記退避レンズ保持枠はアームにより構成され、該アームの基端部に軸受け部とカム部とが設けられ、前記アームの自由端部に前記レンズ群の残りの一部を保持するレンズ保持枠が設けられ、前記軸受け部は前記主ガイド軸に対して回動可能かつ該主ガイド軸の延びる方向に往復動可能に支持され、前記駆動部材には前記カム部と協働して前記退避レンズ保持枠を回動させると共に軸方向に駆動するカムフォロワ部が設けられ、前記アームが前記第１付勢部材の回動付勢力により前記副軸に当接されることにより、前記退避レンズ保持枠の進出位置が規定されていることを特徴とする請求項１２に記載のレンズ鏡胴。
【請求項１４】
前記駆動部材はリードスクリュであり、前記カムフォロワ部は前記リードスクリュに設けられ、前記カム部は前記カムフォロワ部と協働して前記退避レンズ保持枠を前記退避位置から前記進出位置に向かって回動させる第１カム面と、前記カムフォロワ部と協働して前記退避レンズ保持枠を前記進出位置から前記退避位置に向かって回動させる第２カム面と、前記カムフォロワ部と協働して前記退避レンズ保持枠を前記主ガイド軸に沿って前記繰り出し方向に向けて可動させる当接面とを有することを特徴とする請求項１３に記載のレンズ鏡胴。
【請求項１５】
前記本体部には、前記退避レンズ保持枠がその回動中に主ガイド軸に沿って前記繰り出し方向に向かって移動するのを阻止するための移動阻止面を有する移動阻止壁部と、前記移動阻止面に対面する枠部分とが設けられ、該移動阻止面と前記枠部分との間に前記カム部が進入する空間が形成され、前記カム部は前記移動阻止面に係合して前記退避レンズ保持枠の回動中に該退避レンズ保持枠の前記繰り出し方向への移動を阻止す当接端面を有することを特徴とする請求項１４に記載のレンズ鏡胴。
【請求項１６】
前記カム部には、前記カムフォロワ部と協働して前記退避レンズ保持枠の前記退避位置から前記進出位置に向かう方向の回動を阻止する回動阻止面が形成され、前記枠部分には嵌合穴が形成され、前記軸受け部には前記退避位置において前記嵌合穴に嵌合される嵌合突起が形成されていることを特徴とする請求項１５に記載のレンズ鏡胴。
【請求項１７】
前記第２カム面は前記カムフォロワ部と協働して前記退避レンズ保持枠を前記繰り出し方向に対して逆方向に前記主ガイド軸に沿って可動させる機能を有し、前記移動阻止壁部は、前記退避レンズ保持枠の逆方向への可動の際に前記進出位置から前記退避位置に向かう方向の回動を阻止する回動阻止面とされ、該回動阻止面に前記第１付勢部材としての板バネが設けられ、前記主ガイド軸と同軸に前記第２付勢部材としての圧縮スプリングが設けられ、該圧縮スプリングの一端部は前記本体部に固定され、該圧縮スプリングの他端部は自由とされていることを特徴とする請求項１６に記載のレンズ鏡胴。
【請求項１８】
複数個のレンズ群の一部を保持して本体部に収納された収納位置と被写体側に向かって前記本体部から繰り出された繰り出し位置との間で可動される可動鏡筒と、前記複数個のレンズ群の残りの一部を保持して撮影光軸上から退避した退避位置と前記撮影光軸上に進出した進出位置との間で前記撮影光軸と直交する面内で回動されかつ前記進出位置において前記撮影光軸と平行でしかも前記被写体側に向かう繰り出し方向に可動される退避レンズ保持枠とを有し、前記本体部には、前記退避レンズ保持枠を前記撮影光軸に向かう方向に回動付勢する第１付勢部材と、前記退避レンズ保持枠を前記繰り出し方向とは逆方向に付勢する第２付勢部材とが設けられたレンズ鏡胴に用いられるレンズ駆動装置であって、
前記本体部に前記撮影光軸に平行な方向に延びるリードスクリュと主ガイド軸と副ガイド軸と前記リードスクリュを駆動する駆動源とが設けられ、前記退避レンズ保持枠はアームにより構成され、該アームの基端部に軸受け部とこの軸受け部と同心の円弧状カム壁部とが設けられ、前記アームの自由端部に前記レンズ群の残りの一部を保持するレンズ保持枠が設けられ、
前記軸受け部は前記主ガイド軸に対して回動可能かつ該主ガイド軸の延びる方向に往復動可能に支持され、前記リードスクリュには前記カム部と協働して前記退避レンズ保持枠を回動させると共に軸方向に駆動するカムフォロワ部が設けられ、前記アームが前記第１付勢部材の回動付勢力により前記副軸に当接されることにより、前記退避レンズ保持枠の進出位置が規定されていることを特徴とするレンズ駆動装置。
【請求項１９】
前記円弧状カム壁部は前記カムフォロワ部と協働して前記退避レンズ保持枠を前記退避位置から前記進出位置に向かって回動させる第１カム面と、前記カムフォロワ部と協働して前記退避レンズ保持枠を前記進出位置から前記退避位置に向かって回動させる第２カム面と、前記カムフォロワ部と協働して前記退避レンズ保持枠を前記主ガイド軸に沿って前記繰り出し方向に向けて可動させる当接面とを有することを特徴とする請求項１８に記載のレンズ駆動装置。
【請求項２０】
前記本体部には、前記退避レンズ保持枠がその回動中に主ガイド軸に沿って前記繰り出し方向に向かって移動するのを阻止するための移動阻止面を有する移動阻止壁部と、前記移動阻止面に対面する枠部分とが設けられ、該移動阻止面と前記枠部分との間に前記カム部が進入する進入空間が形成され、前記カム部は前記移動阻止面に係合して前記退避レンズ保持枠の回動中に前記退避レンズ保持枠の前記繰り出し方向への移動を阻止する当接端面を有することを特徴とする請求項１９に記載のレンズ駆動装置。
【請求項２１】
前記円弧状カム壁部には、前記カムフォロワ部と協働して前記退避レンズ保持枠の前記退避位置から前記進出位置に向かう方向の回動を阻止する回動阻止面が形成され、前記枠部分には嵌合穴が形成され、前記軸受け部には前記退避位置において前記嵌合穴に嵌合される嵌合突起が形成されていることを特徴とする請求項２０に記載のレンズ駆動装置。
【請求項２２】
前記第２カム面は前記カムフォロワ部と協働して前記退避レンズ保持枠を前記繰り出し方向と逆方向に前記主ガイド軸に沿って可動させる機能を有し、前記移動阻止壁部は、前記退避レンズ保持枠の逆方向への可動の際に該退避レンズ保持枠の進出位置から退避位置に向かう方向の回動を阻止する回動阻止面とされ、該回動阻止面に前記第１付勢部材としての板バネが設けられ、前記主ガイド軸と同軸に前記第２付勢部材としての圧縮スプリングが設けられ、該圧縮スプリングの一端部は前記本体部に固定され、該圧縮スプリングの他端部は自由とされていることを特徴とする請求項２１に記載のレンズ駆動装置。
【請求項２３】
請求項１ないし１０、請求項１８ないし請求項２２のいずれか１項に記載のレンズ駆動装置を備えたことを特徴とするカメラ。
【発明の詳細な説明】
【技術分野】
【０００１】
本発明は、複数個のレンズ群を保持する可動鏡筒の少なくとも一部を本体部に収納する収納状態からこの可動鏡筒の少なくとも一部を被写体側である対物側に繰り出すことにより撮影状態とすると共に、撮影状態では全てのレンズ群を撮影光軸上に位置させ、収納状態ではレンズ群の一部を撮影光軸から退避させる構成のレンズ鏡胴、レンズ駆動装置及びカメラの改良に関する。
【背景技術】
【０００２】
従来から、デジタルカメラ等のカメラには、複数個のレンズ群を保持する可動鏡筒の少なくとも一部を本体部に収納する収納状態からその可動鏡筒の少なくとも一部を被写体側に駆動することにより繰り出して撮影状態とすると共に、この撮影状態では全てのレンズ群を撮影光軸上に位置させ、これらのレンズ群の一部を収納状態では撮影光軸上に位置する進出位置から退避位置に向かって退避させる構成のものが知られている（特許文献１参照）。
【０００３】
この従来のカメラでは、これらのレンズ群の一部を退避レンズ保持枠に支持させ、この退避レンズ保持枠をトーションスプリングにより撮影光軸方向に向かって回動付勢すると共に、撮影状態ではこの退避レンズ保持枠を収納方向に付勢する構成が採用されている。
【発明の概要】
【発明が解決しようとする課題】
【０００４】
この従来のカメラでは、可動鏡筒を本体部に収納した収納位置では、この本体部に収納される可動鏡筒の邪魔とならいように、退避レンズ保持枠を撮影光軸から退避させる構成であるので、薄型化、小型化を図ることができるという長所がある。
【０００５】
しかしながら、その退避レンズ保持枠にはトーションスプリングにより、この退避レンズ保持枠を撮影光軸方向に向かって回動させる回動付勢力が常時加わっているので、この退避レンズ保持枠を撮影光軸上から退避させる際に、このトーションスプリングによる回動付勢力に抗する駆動力がこの退避レンズ保持枠を駆動するレンズ駆動装置に要求される。
【０００６】
このため、この従来のレンズ駆動装置には、トーションスプリングの回動付勢力に抗するトルクを発生する駆動源が用いられ、この駆動源として大きなトルクを発生するものが必要となるので、その分、カメラが大型化し、従来のカメラには、カメラの小型化、コンパクト化、軽量化、低コスト化の観点から未だなお改善の余地がある。
【０００７】
本発明は、上記の事情に鑑みて為されたもので、小さなトルクを発生可能な駆動源を用いて退避レンズ保持枠をレンズ群が撮影光軸上へ進出した進出位置と撮影光軸上から退避した退避位置との間で回動可能なレンズ鏡胴、レンズ駆動装置、このレンズ鏡胴を用いたカメラを提供することにある。
【課題を解決するための手段】
【０００８】
請求項１に記載のレンズ駆動装置は、複数個のレンズの一部を保持して本体部に収納された収納状態と前記本体部から被写体側に向かって繰り出された繰り出し状態との間で移動する可動鏡筒と、前記複数個のレンズの残りの一部である退避レンズを保持する退避レンズ保持枠とを有するレンズ駆動装置であって、
前記退避レンズ保持枠は、前記退避レンズを、撮影光軸上から退避した退避位置と前記撮影光軸上の進出位置との間で前記撮影光軸に接近又は離脱する方向である第２の方向に移動させ、かつ、前記進出位置において前記撮影光軸に平行な第１の方向に所定の可動範囲内を移動させ、前記本体部には、前記退避レンズ保持枠が前記所定の可動範囲内の所定の撮影範囲内に位置する場合に、前記第２の方向に前記退避レンズ保持枠を付勢する第１付勢部材と、前記第１の方向に前記退避レンズ保持枠を付勢する第２付勢部材とが設けられ、
前記第１付勢部材は、前記退避レンズが、前記進出位置における前記所定の可動範囲内で前記第１の方向に沿って前記被写体側に向かう向きへ移動し、かつ、前記撮影範囲外の外に位置する場合に、前記第２の方向への付勢を開始することを特徴とする。
【０００９】
請求項２に記載のレンズ駆動装置は、複数個のレンズの一部を保持して本体部に収納された収納状態と前記本体部から被写体側に向かって繰り出された繰り出し状態との間で移動する可動鏡筒と、前記複数個のレンズの残りの一部である退避レンズを保持する退避レンズ保持枠とを有するレンズ駆動装置であって、
前記退避レンズ保持枠は、前記退避レンズを、撮影光軸上から退避した退避位置と前記撮影光軸上の進出位置との間で前記撮影光軸に接近又は離脱する方向である第２の方向に移動させ、かつ、前記進出位置において前記撮影光軸に平行な第１の方向に所定の可動範囲内を移動させ、前記本体部には、前記退避レンズ保持枠が前記所定の可動範囲内の所定の撮影範囲内に位置する場合に、前記退避レンズ保持枠と当接し、前記第２の方向に前記退避レンズ保持枠を付勢する第１付勢部材と、前記第１の方向に前記退避レンズ保持枠を付勢する第２付勢部材とが設けられ、
前記第１付勢部材と前記退避レンズ保持枠とは、前記退避レンズが、前記進出位置における前記所定の可動範囲内で前記第１の方向に沿って前記被写体側に向かう向きへ移動し、かつ、前記撮影範囲の外に位置する場合に、当接を開始することを特徴とする。
【００１０】
請求項３に記載のレンズ駆動装置は、複数個のレンズの一部を保持して本体部に収納された収納状態と前記本体部から被写体側に向かって繰り出された繰り出し状態との間で移動する可動鏡筒と、前記複数個のレンズの残りの一部である退避レンズを保持する退避レンズ保持枠とを有するレンズ駆動装置であって、
前記退避レンズ保持枠は、前記退避レンズを、撮影光軸上から退避した退避位置と前記撮影光軸上の進出位置との間で前記撮影光軸に接近又は離脱する方向である第２の方向に移動させ、かつ、前記進出位置において前記撮影光軸に平行な第１の方向に所定の可動範囲内を移動させ、前記本体部には、前記退避レンズ保持枠が前記所定の可動範囲内の所定の撮影範囲内に位置する場合に、第２の方向に前記退避レンズ保持枠を付勢する第１付勢部材と、前記第１の方向に前記退避レンズ保持枠を付勢する第２付勢部材とが設けられ、
前記第１付勢部材と前記退避レンズ保持枠とは、前記退避レンズが、前記進出位置における前記所定の可動範囲内で前記第１の方向に沿って前記被写体側と反対向きへ移動し、かつ、前記撮影範囲の外に位置する場合に、当接を終了することを特徴とする。
【００１１】
請求項４に記載のレンズ駆動装置は、複数個のレンズの一部を保持して本体部に収納された収納状態と前記本体部から被写体側に向かって繰り出された繰り出し状態との間で移動する可動鏡筒と、前記複数個のレンズの残りの一部である退避レンズを保持する退避レンズ保持枠とを有するレンズ駆動装置であって、
前記退避レンズ保持枠は、前記退避レンズを、撮影光軸上から退避した退避位置と前記撮影光軸上の進出位置との間で前記撮影光軸に接近又は離脱する方向である第２の方向に移動させ、かつ、前記進出位置において前記撮影光軸に平行な第１の方向に所定の可動範囲内を移動させ、前記本体部には、前記退避レンズ保持枠が前記所定の可動範囲内の所定の撮影範囲内に位置する場合に、
前記第２の方向のみに前記退避レンズ保持枠を付勢し、前記退避レンズ保持枠が前記退避位置にある場合には、前記退避レンズ保持枠を付勢しない第１付勢部材と、前記第１の方向のみに前記退避レンズ保持枠を付勢する第２付勢部材とが設けられたことを特徴とする。
【００１２】
請求項５に記載のレンズ駆動装置は、前記本体部の固定枠に固定され、前記退避レンズ保持枠と当接して前記退避レンズ保持枠の前記第１の方向への移動を規制する移動規制部材と、前記第１の方向へ移動して前記退避レンズ保持枠を駆動する駆動部材とを備え、
前記退避位置が前記可動鏡筒の外の位置でかつ前記固定枠の中の位置に配置され、前記退避レンズ保持枠が前記駆動部材と係合するカム部を備え、前記駆動部材と前記カム部とが係合し、かつ、前記退避レンズ保持枠と前記移動規制部材とが当接することにより、前記退避レンズ保持枠が前記第２の方向に移動することを特徴とする。
【００１３】
請求項６に記載のレンズ駆動装置は、前記撮影光軸と平行な方向に延びる第１ガイド部材と、前記撮影光軸と平行な方向に延びる第２ガイド部材とを備え、前記退避レンズ保持枠が、前記第１のガイド部材に沿って前記第１の方向に移動し、かつ、前記第１のガイド部材を中心として回動することにより、前記第２の方向に移動し、前記退避レンズ保持枠が前記第２のガイド部材に当接する場合に、前記退避レンズが前記進出位置に配置されることを特徴とする。
【００１４】
請求項７に記載のレンズ駆動装置は、前記第２付勢部材は、前記退避レンズ保持枠が前記所定の可動範囲内の所定の撮影範囲内に位置する場合に、前記退避レンズ保持枠を付勢することを特徴とする。
【００１５】
請求項８に記載のレンズ駆動装置は、前記第２付勢部材は、前記退避レンズが前記退避位置にある場合には、前記退避レンズ保持枠を付勢せず、前記退避レンズが進出位置にある場合に付勢を開始することを特徴とする。
【００１６】
請求項９に記載のレンズ駆動装置は、前記第２付勢部材は、前記退避レンズ保持枠が前記所定の可動範囲内の所定の撮影範囲内に位置する場合に、前記退避レンズ保持枠と当接し、前記退避レンズ保持枠を付勢することを特徴とする。
【００１７】
請求項１０に記載のレンズ駆動装置は、前記第２付勢部材と前記退避レンズ保持枠とは、前記退避レンズが前記退避位置にある場合には当接しておらず、前記退避レンズが前記進出位置にある場合に当接を開始することを特徴とする。
【００１８】
請求項１１に記載のレンズ鏡胴は、複数個のレンズ群の一部を保持して本体部に収納された収納位置と被写体側に向かって前記本体部から繰り出された繰り出し位置との間で可動される可動鏡筒と、前記複数個のレンズ群の残りの一部を保持して撮影光軸上から退避した退避位置と前記撮影光軸上に進出した進出位置との間で前記撮影光軸と直交する面内で回動されかつ前記進出位置において前記撮影光軸と平行でしかも前記被写体側に向かう繰り出し方向に可動される退避レンズ保持枠とを有し、前記本体部には、前記進出位置から前記繰り出し位置までの可動領域間の途中段階で、前記退避レンズ保持枠を前記撮影光軸に向かう方向に回動付勢する第１付勢部材と、前記退避レンズ保持枠を繰り出し方向とは反対方向に付勢する第２付勢部材とが設けられていることを特徴とする。
【００１９】
請求項１２に記載のレンズ鏡胴は、前記退避レンズ保持枠は、前記退避位置から前記進出位置に向かって回動された後、前記繰り出し方向に可動されて、前記第１付勢部材により前記撮影光軸に向かう方向に回動付勢されると共に、前記第２付勢部材により前記繰り出し方向と逆方向に付勢されることを特徴とする。
【００２０】
請求項１３に記載のレンズ鏡胴は、前記本体部に前記撮影光軸に平行な方向に延びる駆動部材と主ガイド軸と副ガイド軸とが設けられ、前記退避レンズ保持枠はアームにより構成され、該アームの基端部に軸受け部とカム部とが設けられ、前記アームの自由端部に前記レンズ群の残りの一部を保持するレンズ保持枠が設けられ、前記軸受け部は前記主ガイド軸に対して回動可能かつ該主ガイド軸の延びる方向に往復動可能に支持され、前記駆動部材には前記カム部と協働して前記退避レンズ保持枠を回動させると共に軸方向に駆動するカムフォロワ部が設けられ、前記アームが前記第１付勢部材の回動付勢力により前記副軸に当接されることにより、前記退避レンズ保持枠の進出位置が規定されていることを特徴とする。
【００２１】
請求項１４に記載のレンズ鏡胴は、前記駆動部材はリードスクリュであり、前記カムフォロワ部は前記リードスクリュに設けられ、前記カム部は前記カムフォロワ部と協働して前記退避レンズ保持枠を前記退避位置から前記進出位置に向かって回動させる第１カム面と、前記カムフォロワ部と協働して前記退避レンズ保持枠を前記進出位置から前記退避位置に向かって回動させる第２カム面と、前記カムフォロワ部と協働して前記退避レンズ保持枠を前記主ガイド軸に沿って前記繰り出し方向に向けて可動させる当接面とを有することを特徴とする。
【００２２】
請求項１５に記載のレンズ鏡胴は、前記本体部には、前記退避レンズ保持枠がその回動中に主ガイド軸に沿って前記繰り出し方向に向かって移動するのを阻止するための移動阻止面を有する移動阻止壁部と、前記移動阻止面に対面する枠部分とが設けられ、該移動阻止面と前記枠部分との間に前記カム部が進入する空間が形成され、前記カム部は前記移動阻止面に係合して前記退避レンズ保持枠の回動中に該退避レンズ保持枠の前記繰り出し方向への移動を阻止す当接端面を有することを特徴とする。
【００２３】
請求項１６に記載のレンズ鏡胴は、前記カム部には、前記カムフォロワ部と協働して前記退避レンズ保持枠の前記退避位置から前記進出位置に向かう方向の回動を阻止する回動阻止面が形成され、前記枠部分には嵌合穴が形成され、前記軸受け部には前記退避位置において前記嵌合穴に嵌合される嵌合突起が形成されていることを特徴とする。
【００２４】
請求項１７に記載のレンズ鏡胴は、前記第２カム面は前記カムフォロワ部と協働して前記退避レンズ保持枠を前記繰り出し方向に対して逆方向に前記主ガイド軸に沿って可動させる機能を有し、前記移動阻止壁部は、前記退避レンズ保持枠の逆方向への可動の際に前記進出位置から前記退避位置に向かう方向の回動を阻止する回動阻止面とされ、該回動阻止面に前記第１付勢部材としての板バネが設けられ、前記主ガイド軸と同軸に前記第２付勢部材としての圧縮スプリングが設けられ、該圧縮スプリングの一端部は前記本体部に固定され、該圧縮スプリングの他端部は自由とされていることを特徴とする。
【００２５】
請求項１８に記載のレンズ駆動装置は、複数個のレンズ群の一部を保持して本体部に収納された収納位置と被写体側に向かって前記本体部から繰り出された繰り出し位置との間で可動される可動鏡筒と、前記複数個のレンズ群の残りの一部を保持して撮影光軸上から退避した退避位置と前記撮影光軸上に進出した進出位置との間で前記撮影光軸と直交する面内で回動されかつ前記進出位置において前記撮影光軸と平行でしかも前記被写体側に向かう繰り出し方向に可動される退避レンズ保持枠とを有し、前記本体部には、前記退避レンズ保持枠を前記撮影光軸に向かう方向に回動付勢する第１付勢部材と、前記退避レンズ保持枠を前記繰り出し方向とは逆方向に付勢する第２付勢部材とが設けられたレンズ鏡胴に用いられるレンズ駆動装置であって、前記本体部に前記撮影光軸に平行な方向に延びるリードスクリュと主ガイド軸と副ガイド軸と前記リードスクリュを駆動する駆動源とが設けられ、前記退避レンズ保持枠はアームにより構成され、該アームの基端部に軸受け部とこの軸受け部と同心の円弧状カム壁部とが設けられ、前記アームの自由端部に前記レンズ群の残りの一部を保持するレンズ保持枠が設けられ、前記軸受け部は前記主ガイド軸に対して回動可能かつ該主ガイド軸の延びる方向に往復動可能に支持され、前記リードスクリュには前記カム部と協働して前記退避レンズ保持枠を回動させると共に軸方向に駆動するカムフォロワ部が設けられ、前記アームが前記第１付勢部材の回動付勢力により前記副軸に当接されることにより、前記退避レンズ保持枠の進出位置が規定されていることを特徴とする。
【００２６】
請求項１９に記載のレンズ駆動装置は、前記円弧状カム壁部は前記カムフォロワ部と協働して前記退避レンズ保持枠を前記退避位置から前記進出位置に向かって回動させる第１カム面と、前記カムフォロワ部と協働して前記退避レンズ保持枠を前記進出位置から前記退避位置に向かって回動させる第２カム面と、前記カムフォロワ部と協働して前記退避レンズ保持枠を前記主ガイド軸に沿って前記繰り出し方向に向けて可動させる当接面とを有することを特徴とする。
【００２７】
請求項２０に記載のレンズ駆動装置は、前記本体部には、前記退避レンズ保持枠がその回動中に主ガイド軸に沿って前記繰り出し方向に向かって移動するのを阻止するための移動阻止面を有する移動阻止壁部と、前記移動阻止面に対面する枠部分とが設けられ、該移動阻止面と前記枠部分との間に前記カム部が進入する進入空間が形成され、前記カム部は前記移動阻止面に係合して前記退避レンズ保持枠の回動中に前記退避レンズ保持枠の前記繰り出し方向への移動を阻止する当接端面を有することを特徴とする。
【００２８】
請求項２１に記載のレンズ駆動装置は、前記円弧状カム壁部には、前記カムフォロワ部と協働して前記退避レンズ保持枠の前記退避位置から前記進出位置に向かう方向の回動を阻止する回動阻止面が形成され、前記枠部分には嵌合穴が形成され、前記軸受け部には前記退避位置において前記嵌合穴に嵌合される嵌合突起が形成されていることを特徴とする。
【００２９】
請求項２２に記載のレンズ駆動装置は、前記第２カム面は前記カムフォロワ部と協働して前記退避レンズ保持枠を前記繰り出し方向と逆方向に前記主ガイド軸に沿って可動させる機能を有し、前記移動阻止壁部は、前記退避レンズ保持枠の逆方向への可動の際に該退避レンズ保持枠の進出位置から退避位置に向かう方向の回動を阻止する回動阻止面とされ、該回動阻止面に前記第１付勢部材としての板バネが設けられ、前記主ガイド軸と同軸に前記第２付勢部材としての圧縮スプリングが設けられ、該圧縮スプリングの一端部は前記本体部に固定され、該圧縮スプリングの他端部は自由とされていることを特徴とする。
【００３０】
請求項２３に記載のカメラは、請求項１ないし請求項１０、請求項１８〜請求項２２のいずれか１項に記載のレンズ駆動装置を備えたことを特徴とする。
【発明の効果】
【００３１】
本発明によれば、退避レンズ保持枠を撮影光軸に向かう方向に回動付勢する第１付勢部材と、退避レンズ保持枠を繰り出し方向とは反対方向に付勢する第２付勢部材とを別個に設けたので、小さな駆動力で退避レンズ保持枠を駆動できる。よって、消費電力を低減できる。更に、駆動力を発生させる駆動源をより小型にすることができ、装置をより小型にできる。また、撮影状態では、退避レンズを撮影光軸上にがたつきなく保持することができる。
【図面の簡単な説明】
【００３２】
【図１】図１は本発明の実施の形態に係わるレンズ鏡胴の外観図である。
【図２】図２は図１に示す可動鏡筒を取り除いて固定枠の内部を被写体側から目視した平面図である。
【図３】図３は図２の矢印Ａ−Ａ線に沿う断面図である。
【図４】図４は固定枠の一部を破断して固定枠の内部を被写体側から目視した平面図である。
【図５】図５は図４に示すレンズ駆動装置の部分を拡大して示す部分拡大図である。
【図６】図６は図４に示すレンズ駆動装置と退避レンズ保持枠との配置関係を示す斜視図である。
【図７】図７は複数個のレンズ群を被写体側に向かって繰り出した望遠状態と複数個のレンズ群を本体部に収納した収納状態とを示す断面図である。
【図８】図８は広角位置状態のレンズ鏡胴の各レンズ群、レンズ保持枠、各種可動鏡筒の要部を示す断面図である。
【図９】図９は図７に示すカム筒の展開図である。
【図１０】図１０は図７に示す固定筒の展開図である。
【図１１】図１１は図７に示す固定筒の展開図の詳細図である。
【図１２】図１２は図７に示す第１の回転筒の斜視図である。
【図１３】図１３は図７に示す第１のライナー１３の展開図である。
【図１４】図１４は図７に示す第２の回転筒の展開図である。
【図１５】図１５は図６に示す退避レンズ保持枠を撮像面側から目視した斜視図である。
【図１６】図１６は図６に示す退避レンズ保持枠を被写体側から目視した斜視図である。
【図１７】図１７は図１５に示す退避レンズ保持枠の円弧状カム壁部を目視した斜視図である。
【図１８】図１８は退避レンズ保持枠が退避位置にある状態を示す部分斜視図であって、円弧状カム壁部が図２２の（ａ）に示す位置にある状態に対応する図である。
【図１９】図１９は退避レンズ保持枠が進出位置にある状態を示す部分斜視図であって、円弧状カム壁部が図２２の（ｄ）に示す位置にある状態に対応する図である。
【図２０】図２０は退避レンズ保持枠が進出位置にある状態を示す部分斜視図であって、円弧状カム壁部が図２２の（ｆ）に示す位置にある状態に対応する図である。
【図２１】図２１は退避レンズ保持枠が進出位置にある状態を示す部分斜視図であって、円弧状カム壁部が図２２の（ｉ）に示す位置にある状態に対応する図である。
【図２２】図２２は退避レンズ保持枠が退避位置から進出位置に向かって回動された後、被写体側に向かって可動される一連の動作時の退避レンズ保持枠の円弧状カム壁部と移動阻止部材とカムフォロワ部と板バネと圧縮コイルスプリングとの相対関係を示す説明図である。
【図２３】図２３は退避レンズ保持枠が撮像面側に向かって可動された後、退避位置に向かって回動される一連の動作時の退避レンズ保持枠の円弧状カム壁部と移動阻止壁部とカムフォロワ部と板バネと圧縮コイルスプリングとの相対関係を示す説明図である。
【図２４ａ】図２４ａは図５に示すリードスクリュと雌ねじ部材との関係を拡大して示す斜視図である。
【図２４ｂ】図２４ｂは図２２、図２３、図２４ａに示すカムフォロワ部を拡大して示す断面図である。
【図２５】図２５は図５に示す移動阻止壁部と板バネとの関係を示す部分拡大斜視図である。
【図２６】図２６は図２２、図２３に示す枠部分に形成された嵌合穴の説明図である。
【図２７】図２７は第３レンズ群を保持する退避レンズ保持枠と第４レンズ群を保持するレンズ保持枠との関係を撮像面側から目視した図である。
【図２８】図２８は退避レンズ保持枠の移動を模式的に示す説明図である。
【図２９】図２９は第４レンズ群を退避位置と進出位置との間で回動させると共に、光軸方向に可動させるためのリードスクリュと雌ねじ部材の構成を示す斜視図である。
【発明を実施するための形態】
【実施例】
【００３３】
図１は本発明の実施形態に係るデジタルカメラのレンズ鏡胴の外観図である。この図１において、１はベース枠、２は本体部としての固定枠である。固定枠２の一部を構成する固定筒２ａの内周面２ｂは図２に示すように円形状を呈している。ベース枠１には、図２に示すように固体撮像素子３が配置されている。その固定枠２の一側には後述する退避レンズ保持枠を駆動するレンズ駆動装置４が図１ないし図６に示すように配置されている。このレンズ駆動装置４の詳細な構成は後述することにし、まず、この発明の実施例に係わる複数個のレンズ群、この複数個のレンズ群を保持するレンズ保持枠及びこのレンズ保持枠を支持する可動鏡筒の構成を説明する。
（レンズ群、レンズ保持枠及び可動鏡筒の構成）
図７は複数個のレンズ群の一部を保持する可動鏡筒を固定枠２から被写体側に向かって繰り出した望遠状態（繰り出し状態）と複数個のレンズ群の一部を保持する可動鏡筒を固定枠２に収納した収納位置（収納状態）とを示す断面図、図８は複数個のレンズ群の一部を保持する可動鏡筒を固定枠２から被写体側に向かって繰り出した広角位置状態（繰り出し状態）のレンズ鏡胴の各レンズ群、レンズ保持枠、各種可動鏡筒の要部を示す断面図である。
【００３４】
このレンズ鏡胴は、第１レンズ群５、第２レンズ群６、第３レンズ群（ズームレンズ光学系の一部を構成するレンズ群）７、第４レンズ群８、シャッタ／絞りユニット９、第１レンズ保持枠１０、第２レンズ保持枠１１、第３レンズ保持枠（後述する）、第４レンズ保持枠（図示を略す）、可動鏡筒としての第１の回転筒１２、第１のライナー１３、可動鏡筒としての第２の回転筒１４、第２のライナー１５、カム筒１６、可動鏡筒としての直進筒１７とが設けられている。
【００３５】
第１レンズ群５、第２レンズ群６、第３レンズ群７、第４レンズ群８は物体側（被写体側）から順に配設されている。第１レンズ群５は第１レンズ保持枠１０に一体的に保持されている。この第１レンズ保持枠１０は直進筒１７に固定されている。
【００３６】
第２レンズ群６は第２レンズ保持枠１１に一体的に保持されている。この第２レンズ保持枠１１はカムフォロワ１１’を有する。カムフォロワ１１’は図９に示すカム筒１６の第２レンズ群６用のカム溝を貫通して第２のライナー１５の直進溝１５ａに係合されている。その第２レンズ保持枠１１はそのカム筒１６、第２のライナー１５により保持されている。
【００３７】
シャッタ／絞りユニット９もカムフォロワ（図示を略す）を有する。このカムフォロワ（図示を略す）はカム筒１６のシャッタ／絞りユニット用のカム溝に挿通されて第２のライナー１５の直進溝１５ａに係合されている。そのシャッタ／絞りユニット９もカム筒１６、第２のライナー１５により保持されている。
【００３８】
固定枠２の固定筒２ａの内周面２ｂには、図１０、図１１に示すように、光軸方向に延びる直進キー溝と第１の回転筒１２用のヘリコイド状のカム溝とが形成されている。その固定枠２の内周面２ｂに形成されたヘリコイド状のカム溝は図１０、図１１に示すように被写体側（物体側）の端部が固定筒２ａの端面に平行に形成されている。第１の回転筒１２には図１２に示すようにその基端部外周面にヘリコイド山ａ、ｂが形成されている。このヘリコイド山ａ、ｂは図１０、図１１に示す第１の回転筒１２用のヘリコイド状のカム溝に係合されている。第１のライナー１３には、図７に示すように基端部外周にキー部１３ａが突出形成されている。このキー部１３ａは図１０、図１１に示す第１のライナー１３用の直進キー溝に係合されている。
【００３９】
第１の回転筒１２の内面には撮影光軸に直交する面に沿う案内溝が形成されている。第１のライナー１３の基端部近傍の外周面には直進案内部材としてのカムフォロワが形成されている。このカムフォロワは第１の回転筒１２の内面に形成された案内溝に係合されている。
【００４０】
第１のライナー１３の内面には、図１３に示すように、撮影光軸方向に沿って延びる第２のライナー１５用の直進キー溝とヘリコイド（図１３では図示を略す）と第２の回転筒１４の基端部近傍の外周面に突出形成されたカムフォロワを挿通するための逃げ溝とが形成されている。
【００４１】
第２の回転筒１４の基端部の外周には図７に示すようにヘリコイド１４ａが形成されている。このヘリコイド１４ａは図７に示すように第１のライナー１３の内周面に形成されたヘリコイド１３ｂに螺合されている。第２の回転筒１４の基端部近傍の外周面にはカムフォロワ１４ａ’が形成されている。このカムフォロワ１４ａ’は第１のライナー１３に形成された第２の回転筒１４用の逃げ溝（図１３参照）を貫通して第１の回転筒１２の内周面に形成された直進キー溝（図示を略す）に係合している。
【００４２】
第１のライナー１３の内周面に設けられた直進キー溝には第２のライナー１５の基端部外周に突設されたキー部１５ｂが係合している。第２の回転筒１４の内面には撮影光軸に直交する面に沿う案内溝が形成されている。第２のライナー１５の外周面に突設された直進案内部材としてのカムフォロワがこの案内溝に係合されている。この構成により、第２のライナー１５は撮影光軸方向の移動については第２の回転筒１４と一体的に移動し、一方、第２の回転筒１４は第２のライナー１５に対して回転可能となっている。
【００４３】
カム筒１６は第２のライナー１５の内周に嵌合されている。カム筒１６の基端部外周には係止突起が突設されている。この係止突起は第２の回転筒１４の基端部に嵌合係止されている。このカム筒１６は第２の回転筒１４と一体回転される。
【００４４】
第２のライナー１５の内面には撮影光軸に直交する面に沿う案内溝が形成されている。カム筒１６の前側の外周面には直進案内部材としてのカムフォロワが形成されている。このカムフォロワはその案内溝に係合されている。この構成により、カム筒１６は撮影光軸方向に第２のライナー１５と一体的に移動し、かつ、第２のライナー１５に対して相対回転可能とされている。
【００４５】
直進筒１７は、基端部が第２の回転筒１４と第２のライナー１５との間に挿入されている。直進筒１７の基端部近傍の外周面にはカムフォロワが突設形成されている。このカムフォロワは図１４に示すように第２の回転筒１４の内周面に形成されたカム溝に係合されている。直進筒１７の内周面には軸方向に沿って延びる直進キー溝（図示を略す）が形成されている。この直進キー溝に第２のライナー１５の外周面に形成されたキー部が係合している。第１の回転筒１２の基端部外周には、図１２に示すギヤ部が形成されている。このギア部はズームモータ（図示を略す）の駆動力を伝達するギア列に噛合されている。なお、図１２に示すヘリコイド山には図１１に示すヘリコイド溝が螺合され、図１１に示すヘリコイド山には図１２に示すヘリコイド溝が螺合されている。
【００４６】
このレンズ鏡胴では、第１の回転筒１２は固定枠２の内周面に形成されたヘリコイド状のカム溝にヘリコイド山ａ、ｂが係合し、電源をオンすると、図７の下半分に示す可動鏡筒としての直進筒１７、第１の回転筒１２、第２の回転筒１４が固定枠２に収納された収納位置から広角位置への駆動により、第１の回転筒１２は回転しながら最大繰り出し位置まで図８に示すように繰り出される。第１の回転筒１２は最大繰り出し位置である広角位置に至ると、この広角位置から望遠位置の間は繰り出されることなく回転され、これにより、図７の上半分に示すように、直進筒１７が繰り出される。なお、第４レンズ群８は広角位置から望遠位置の間では、図７の上半分に示すように、撮像素子３に対して撮影光軸Ｏ方向に最も離間した最大繰り出し状態にあり、収納位置では、撮像素子３に最接近した最大接近状態にあり、広角位置ではこれらの中間位置にある。
【００４７】
ここでは、第３レンズ群７が、収納状態では、図７に示すように、第１の回転筒１２の最大外径よりも外側に退避され、第１の回転筒１２が、広角位置に達するタイミングで撮影光軸Ｏへ進入する構成とされている。
【００４８】
この実施例では、複数個のレンズ群の一部をそれぞれ保持する全ての可動鏡筒が固定枠２に収納される構成として説明しているが、これに限るものではなく、少なくとも１個の可動鏡筒が本体部に収納される収納状態と被写体側に向かって繰り出された撮影状態との間で可動される構成であれば良い。
【００４９】
更に、これらのレンズ群、レンズ保持枠及び可動鏡筒の構成については、この実施例に限られるものではなく、複数個のレンズ群の一部を保持して固定枠（本体部）２に収納された収納位置と被写体側に向かってこの本体部から繰り出された繰り出し位置との間で可動される可動鏡筒を有する構成であれば良い。
【００５０】
複数個のレンズ群のうちの残りの一部としての第３レンズ群（退避レンズ）７は、図５、図６に示す退避レンズ保持枠２０に支持されている。以下、この退避レンズ保持枠２０の構成と、この退避レンズ保持枠２０を駆動するレンズ駆動装置の詳細を説明する。なお、第１の回転筒１２を駆動する駆動装置については、本発明とは直接的には関係しないので、その詳細な説明は省略する。また、第４レンズ群８を駆動する駆動装置については、本発明の構成を適用できるので、その詳細な説明は省略する。
（レンズ駆動装置４、退避レンズ保持枠２０の構成）
この退避レンズ保持枠２０は、図６、図１５ないし図１７に示すようにクランク形状アーム（アーム）２１を有する。このクランク形状アーム２１の基端部には、円筒状軸受け部（軸受け部）２２が形成されている。このクランク形状アーム２１の自由端部には、第３レンズ群保持枠２３が形成されている。この第３レンズ群保持枠２３に第３レンズ群７が保持されている。ベース枠１と固定枠２との間には図３に示すように撮影光軸Ｏに平行な主ガイド軸（第１ガイド軸）２４、駆動部材としてのリードスクリュ２５が設けられている。
【００５１】
固定枠２には、図３ないし図５、図１８ないし図２１に示すように、第３レンズ群保持枠２３を収容する収容空間２ｃが設けられている。この退避レンズ保持枠２０は、図４、図５、図１８に示すように撮影光軸上（撮影光路）から退避した退避位置と図１９ないし図２１に示すように撮影光軸上（撮影光路）に進出した進出位置との間でその主ガイド軸２４を中心にして撮影光軸Ｏと直交する平面内で回動されると共に、主ガイド軸２４に沿って撮影光軸Ｏに対して平行に往復動可能とされている。すなわち、退避レンズ保持枠２０は主ガイド軸２４を中心にして撮影光軸上から退避した退避位置と撮影光軸上の進出位置との間で撮影光軸に接近又は離脱する方向である第２方向に移動される。また、退避レンズ保持枠２０はその進出位置において撮影光軸に平行な第１方向に所定の可動範囲内で移動される。
【００５２】
ベース枠１にはその退避レンズ保持枠２０の撮影光路への進出位置を規定する副軸（第２ガイド軸）１ａが形成されている。その図１９は、退避レンズ保持枠２０が退避位置から進出位置に向かって回動されて副軸１ａに当接する直前の状態を示し、その図２０は退避レンズ保持枠２０のクランク形状アーム２１の側面が副軸１ａに当接した状態を示し、その図２１はその進出位置から被写体側に向かう繰り出し方向に繰り出されて撮影可能状態としての繰り出し位置（広角位置又は望遠位置）に達した状態が示されている。
【００５３】
リードスクリュ２５はレンズ駆動装置４の一部を構成している。このレンズ駆動装置４は、図１〜図３、図 ５、図６に示すように、駆動源としてのステッピングモータ４ａを有する。このステッピングモータ４ａの出力軸には、図６に示すように、駆動ギヤ４ｂが固定されている。この駆動ギヤ４ｂの回転は伝達ギヤ４ｃ、４ｄ、４ｅを介して従動ギヤ４ｆに伝達される。この従動ギヤ４ｆはリードスクリュ２５に固定されている。リードスクリュ２５はこの従動ギヤ４ｆにより回転駆動される。
【００５４】
円筒状軸受け部２２は主ガイド軸２４に回転可能かつその軸方向に沿って移動可能に保持されている。リードスクリュ２５には雌ねじ部材２６が螺合されている。主ガイド軸２４にはこの主ガイド軸２４を包囲するようにしてこの主ガイド軸２４と同軸に第２付勢部材としての圧縮コイルスプリング２７が設けられている。この圧縮コイルスプリング２７の一端部２７ａは固定枠２の適宜箇所に接着剤により固定され、その圧縮コイルスプリング２７の他端部２７ｂは自由とされている。
【００５５】
クランク形状アーム２１には、図６、図１５ないし図１７に示すように、円筒状軸受け部２２と同心にカム部としての円弧状カム壁部２８が形成されている。この円弧状カム壁部２８と円筒状軸受け部２２とは、図１６に示すように、連結板部２８ａを介して連結されている。この連結板部２８ａと円弧状カム壁部２８と円筒状軸受け部２２とによって規定される空間が圧縮コイルスプリング２７の他端部２７ｂが進入する進入空間２９とされている。円弧状カム壁部２８の被写体側頂面３０は図３ないし図５に示す移動阻止壁部（移動規制部材）３１に当接する当接端面とされている。
【００５６】
この移動阻止壁部３１は図３ないし図５、図１８ないし図２１に示すように、固定枠２と一体に形成されている。この移動阻止壁部３１は、図３に示すように、被写体側から撮像面側に向かって延びている。その移動阻止壁部３１の撮像面側の端面は、図３、図２２、図２３に示すように、退避レンズ保持枠２０が被写体側に向かう繰り出し方向に移動するのを阻止する移動阻止面３１ａとされている。この移動阻止面３１ａは円弧状カム壁部２８の被写体側頂面３０と係合して、退避レンズ保持枠２０が主ガイド軸２４に沿って被写体側である繰り出し方向に移動するのを阻止する役割を果たす。圧縮コイルスプリング２７の他端部２７ｂは、図３、図２２、図２３に示すように、移動阻止面３１ａとほぼ面一とされている。
【００５７】
その移動阻止壁部３１には、図３ないし図５、図１８ないし図２１に示すように、屈曲部３１ｂが設けられている。この屈曲部３１ｂは主ガイド軸２４に向かって屈曲されている。連結板部２８ａには、後述するタイミングで圧縮コイルスプリング２７の他端部２７ｂが当接し、退避レンズ保持枠２０は、撮影状態では主ガイド軸２４の延びる方向でかつ可動レンズ鏡筒の繰り出し方向とは逆方向（被写体側に向かう方向とは反対方向）に付勢される。
【００５８】
円弧状カム壁部２８の外周面には、図６、図１５、図１７、図２２、図２３に示すように、ヘリコイド状のカム溝部３２が形成されている。そのカム溝部３２には、図１７、図２２、図２３に示すように、退避レンズ保持枠２０を撮影光軸Ｏと直交する平面内で主ガイド軸２４を中心にして進出位置に向かって回動させるための第１カム面３２ａと、カム溝部３２を介してこの第１カム面３２ａと対向しかつ退避レンズ保持枠２０を撮影光軸Ｏと直交する平面内で主ガイド軸２４を中心にして退避位置に向かって回動させる第２カム面３２ｂと、退避レンズ保持枠２０を主ガイド軸２４に沿って被写体側に向かって移動させる当接面３２ｃと、退避レンズ保持枠２０を退避位置に保持する回動阻止面３２ｄとが形成されている。この回動阻止面３２ｄは退避位置から進出位置に向かう方向の回動を阻止する役割を有する。
【００５９】
雌ねじ部材２６には、図６、図２２、図２３、図２４ａに示すように、カムフォロワ部３３が突出形成されている。このカムフォロワ部３３は、図２４ｂに拡大して示すように、第１カム面３２ａに係合して退避レンズ保持枠２０を主ガイド軸２４を中心にして撮影光路が位置する進出位置に向かう方向に回動させる第１テーパ面３３ａと、第２カム面３２ｂに係合して退避レンズ保持枠２０を主ガイド軸２４を中心にして撮影光路に向かう方向とは反対方向に回動させる第２テーパ面３３ｂと、当接面３２ｃに係合して退避レンズ保持枠２０を主ガイド軸２４に沿って被写体側に向かう繰り出し方向に移動させる当接面３３ｃと、回動阻止面３２ｄに係合して退避レンズ保持枠２０を退避位置に保持する係合面３３ｄとが形成されている。退避レンズ保持枠２０には、円筒状軸受け部２２と円弧状カム壁部２８との間に、図６、図１５ないし図１７に示すように、屈曲部３１ｂが進入する進入空間２２ｂが形成されている。
【００６０】
その円弧状カム壁部２８は、図１５、図１６、図２２、図２３に示すように、退避レンズ保持枠２０を主ガイド軸２４を中心に撮影光軸Ｏが存在する進出位置に向かう方向に回動させる際のその回動方向後側壁２８ｃが後述する板バネによって回動付勢される付勢面とされている。その回動方向後方側壁２８ｃはその頂面近傍がテーパ面２８ｄとされている。
【００６１】
移動阻止壁部３１の屈曲部３１ｂには、図４、図５、図２２、図２３、図２５に示すように、回動方向後方側壁２８ｃに臨む対向面３１ｃに退避レンズ保持枠２０を副軸１ａに向かう方向に付勢する第１付勢部材としての板バネ３４が設けられている。その対向面３１ｃにはテーパ面２８ｄと協働して円弧状カム壁部２８を被写体側に向かってスムーズに移動させる役割を有するテーパ面３１ｄが形成されている。
【００６２】
固定枠２の移動阻止壁部３１に対向する枠部分２’には、図２２、図２３、図２６に示すように、退避レンズ保持枠２０の退避位置で、円筒状軸受け部２２を退避位置に保持する一対の円弧状の係合穴２ｄ、２ｄが形成されている。その移動阻止面３１ａと枠部分２’との間は円弧状カム壁部２８が進入する空間２”となっている。円筒状軸受け部２２には、図１５、図１７、図２２、図２３に示すように、この一対の係合穴２ｄ、２ｄに嵌合する一対の円弧状の嵌合突起２２ｃ、２２ｃが形成されている。
【００６３】
次に、本発明に係わる退避レンズ保持枠２０の駆動について説明する。
（退避位置から繰り出し位置への駆動）
デジタルカメラの電源オフ時には、退避レンズ保持枠２０は図４、図５、図１８に示すように、退避位置に位置している。このとき、円弧状カム壁部２８は図２２（ａ）に示すように移動阻止壁部３１とこの移動阻止壁部３１に対向する枠部分２’との間の空間２”に位置し、かつ、一対の係合穴２ｄ、２ｄに一対の嵌合突起２２ｃ、２２ｃが嵌合している。また、カムフォロワ部３３の係合面３３ｄが回動阻止面３２ｄに衝合されている。これによって、退避レンズ保持枠２０は、退避位置において主ガイド軸２４の回動方向にがたつくことなく、かつ、主ガイド軸２４の軸方向にもがたつくことなく、主ガイド軸２４に保持されている。
【００６４】
デジタルカメラの電源をオンすると、所定のタイミングでステッピングモータ４ａが駆動され、リードスクリュ２５が回転駆動される。これにより、雌ねじ部材２６が被写体側に向かって軸方向に移動される。すると、図２２（ｂ）に示すように円弧状カム壁部２８の第１カム面３２ａに当接する。リードスクリュ２５が更に同方向に回転駆動されると、退避レンズ保持枠２０が主ガイド軸２４に沿って被写体側に可動される。
【００６５】
これにより、図２２（ｃ）に示すように、円弧状カム壁部２８の被写体側頂面３０が移動阻止壁部３１の移動阻止面３１ａに当接する。その退避レンズ保持枠２０が主ガイド軸２４に沿っての被写体側に向かって可動されることにより、一対の嵌合突起２２ｃ、２２ｃと一対の係合穴２ｄ、２ｄとの係合が解除される。
【００６６】
退避レンズ保持枠２０は、円弧状カム壁部２８の被写体側頂面３０が移動阻止壁部３１の移動阻止面３１ａに当接により主ガイド軸２４に沿っての軸方向の移動が阻止されているので、リードスクリュ２５が更に同方向に回転駆動されると、移動阻止壁部３１の移動阻止面３１ａに対して円弧状カム壁部２８の被写体側頂面３０が摺動しつつ、図２２（ｃ）から図２２（ｄ）に示すように撮影光路に向かう方向に主ガイド軸２４を中心に回動される。
【００６７】
カムフォロワ部３３は、この図２２（ｃ）から図２２（ｄ）に示す間に、カム溝３２に沿って相対的に移動して、図２２（ｄ）に示すように、テーパ面２８ｄがテーパ面３１ｄに臨む段階で、カムフォロワ部３３の当接面３３ｃがカム溝３２の当接面３２ｃに係合する。このとき、退避レンズ保持枠２０のクランク形状アーム２１の側面は、図１９に示すように、副軸１ａに当接する前の状態にある。また、移動阻止壁部３１の屈曲部３１ｂは、円筒状軸受け部２２と円弧状カム壁部２８との間の進入空間２２ｂに臨んでいる。
【００６８】
退避レンズ保持枠２０は、リードスクリュ２５が更に同方向に回転駆動されると、屈曲部３１ｂが進入空間２２に進入可能となり、図２２（ｅ）に示すように、当接面３２ｃと当接面３３ｃとの協働により、主ガイド軸２４に沿って被写体側に向かって可動される。その際、クランク形状アーム２１の側面が、テーパ面２８ｄとテーパ面３１ｄとの作用により、退避レンズ保持枠２０が主ガイド軸２４を中心にして撮影光路に向かう方向に回動され、副軸１ａに近接される。
【００６９】
ついで、リードスクリュ２５が同方向に回転駆動されると、退避レンズ保持枠２０は、円弧状カム壁部２８の回転方向後方側壁２８ｃが移動阻止壁部３１の対向面３１ｃに摺接しつつ主ガイド軸２４に沿って、被写体側に向かって可動され、図２２（ｆ）に示すように、板バネ３４に臨む。図２０は、その回転方向後方側壁２８ｃが板バネ３４に臨む直前の退避レンズ保持枠２０の進出位置を示している。
【００７０】
続けて、リードスクリュ２５が同方向に回転駆動されると、退避レンズ保持枠２０が、図２２（ｇ）〜図２２（ｉ）に示すように、当接面３２ｃと当接面３３ｃとの協働により、主ガイド軸２４に沿って被写体側に向かって可動され、板バネ３４が円弧状カム壁部２８の回転方向後方側壁２８ｃに当接する。
【００７１】
退避レンズ保持枠２０は、そのクランク形状アーム２１の側面がその板バネ３４の回転方向後方側壁２８ｃへの当接により副軸１ａに向かって回動付勢され、これにより、退避レンズ保持枠２０は、その繰り出し位置において、主ガイド軸２４を中心としての回動方向のガタツキの防止が図られている。図２１はその回転方向後方側壁２８ｃが板バネ３４により付勢されて、クランク形状アーム２１の側面が副軸１ａに当接した状態を示している。第３レンズ群（退避レンズ）７の進出位置は、その副軸１ａによって規定される。
【００７２】
一方、可動鏡筒が収納位置から繰り出し位置に向かって繰り出される方向に、退避レンズ保持枠２０が主ガイド軸２４に沿って移動されると、圧縮コイルスプリング２７の自由端部側は、図２２（ｅ）ないし図２２（ｈ）に示すように、進入空間２９に進入し、その圧縮コイルスプリング２７の他端部２７ｂが 、図２２（ｉ）に示すように、撮影直前状態で連結板部２８ａに当接する。これにより、退避レンズ保持枠２０は、撮像面側に向かって付勢され、カムフォロワ部３３の当接面３３ｃとカム溝３２の当接面３２ｃとがガタなく係合され、撮影時における主ガイド軸２４に沿う方向のガタつきも低減される。撮影はこの繰り出し位置で、広角から望遠の間で行われる。
【００７３】
このように、退避レンズ保持枠２０は、図２２（ａ）から図２２（ｄ）までに示すように退避位置から進出位置に向かって回動された後、図２２（ｅ）から図２２（ｉ）までに示すように被写体側に向かう繰り出し方向に可動されて、第１付勢部材３４により撮影光軸方向に回動付勢されると共に、第２付勢部材２７により被写体側と反対方向に付勢される。
【００７４】
また、退避レンズ保持枠２０は、この進出位置から繰り出し位置までの退避レンズ保持枠２０の可動領域間の途中段階で、図２２（ｉ）に示すように、第１付勢部材としての板バネ３４により撮影光軸に向かう方向に回動付勢されると共に、第２付勢部材としての圧縮コイルスプリング２７により繰り出し方向とは逆方向に付勢される。
【００７５】
なお、図２、図４、図５、図１８、図１９に示す図では、説明の便宜のため、第４レンズ群８は省略されているが、この第４レンズ群８は、レンズ保持枠４０に保持されている。このレンズ保持枠４０は、図２７に示すように、クランク形状アーム４１から構成されている。このクランク形状アーム４１の基端部にはガイド部４２と駆動部４３とが形成されている。ガイド部４２には光軸方向に平行に延びるガイド軸４４が設けられ、駆動部４３にはリードスクリュ４４が螺合されている。
【００７６】
退避レンズ保持枠２０は、図２７に示すように、撮影光軸方向に矢印で示す方向に可動されて、第３レンズ群７の光軸と第４レンズ群８との光軸が一致される。その後、第３レンズ群７が撮影光軸に沿って繰り出し方向に移動されると共に、第４レンズ群８がリードスクリュ４４によって繰り出し方向に駆動される。
（繰り出し位置から退避位置への駆動）
デジタルカメラの電源オン時には、退避レンズ保持枠２０は図２１に示すように、繰り出し位置に位置しており、このとき、円弧状カム壁部２８は図２３（ａ）に示すように、カムフォロワ部３３の当接面３３ｃがカム溝３２の当接面３２ｃと当接している状態にある。また、圧縮コイルスプリング２７の他端部２７ｂは連結板部２８ａに当接し、退避レンズ保持枠２０を撮像面側に向かって付勢している。更に、板バネ３４が回転方向後方側壁２８ｃに当接し、退避レンズ保持枠２０は、そのクランク形状アーム２１の側面が副軸１ａに当接する方向に主ガイド軸２４を中心にして回動付勢されている。
【００７７】
デジタルカメラの電源をオフすると、所定のタイミングで、リードスクリュ２５は退避レンズ保持枠２０が退避位置から進出位置へ回動される回動方向とは反対方向に回転駆動される。これにより、雌ねじ部材２６が撮像面側に向かって軸方向に移動される。その結果、図２３（ｂ）、図２３（ｃ）に示すように、当接面３３ｃ、当接面３２ｃの係合が解除され、第２テーパ面３３ｂが第２カム面３２ｂに係合する。
【００７８】
退避レンズ保持枠２０は、円弧状カム壁部２８の回転方向後方側壁２８ｃが屈曲部３１ｂの対向面３１ｃに対向しているので、リードスクリュ２５が更に同方向に回転駆動されると、回動されることなく、第２テーパ面３３ｂと第２カム面３２ｂとの作用により、主ガイド軸２４に沿って被写体側から撮像面側に向かって可動される。
【００７９】
すなわち、対向面３１ｃは退避レンズ保持枠２０の進出位置から退避位置に向かう方向の回動を阻止面として機能する。これにより、板バネ３４による回動付勢、圧縮コイルスプリング２７による押圧付勢が解除される。リードスクリュ２５が更に同方向に回転駆動されると、第２テーパ面３３ｂと第２カム面３２ｂとの相対位置関係を変えることなく、退避レンズ保持枠２０は図２３（ｄ）、図２３（ｅ）に示すように、進出位置に向かって主ガイド軸２４の軸方向に可動される。
【００８０】
退避レンズ保持枠２０は、図２３（ｆ）に示すように、その円弧状カム壁部２８の回転方向後方側壁２８ｃと移動阻止壁部３１の屈曲部３１ｂの対向面３１ｃとの係合が解除されると、回転可能状態となる。
【００８１】
退避レンズ保持枠２０は、更に、同方向にリードスクリュ２５が回転駆動されると、第２テーパ面３３ｂと第２カム面３２ｂとの作用により、図２３（ｆ）、図２３（ｇ）に示すように、主ガイド軸２４を中心にして回動される。これにより、移動阻止壁部３１とこの移動阻止壁部３１に対向する枠部分２’との間の空間に円弧状カム壁部２８、円筒状軸受け部２２が進入する。カムフォロワ部３３は、この図２３（ｆ）から図２３（ｈ）に示す間に、カム溝３２に沿って相対的に移動して、図２３（ｈ）に示すように、カムフォロワ部３３の係合面３３ｄが回動阻止面３２ｄに臨む直前の状態になる。この図２３（ｈ）に示す状態で、一対の嵌合突起２２ｃ、２２ｃが一対の係合穴２ｄ、２ｄに嵌合する。
【００８２】
更に、同方向にリードスクリュ２５が回転駆動されると、退避レンズ保持枠２０が主ガイド軸２４を中心にして若干回動され、図２３（ｉ）に示すように、回動阻止面３２ｄと係合面３３ｄとが衝合状態になる。これによって、退避レンズ保持枠２０は、再び、退避位置において主ガイド軸２４の回動方向にがたつくことなく、かつ、主ガイド軸２４の軸方向にもがたつくことなく、主ガイド軸２４に保持される。
【００８３】
すなわち、退避レンズ保持枠２０は、電源をオフからオンしたときには、その移動を模式的に示す説明図（図２８参照）に見られるように、退避位置から矢印Ａ方向に移動することにより撮影光軸に接近され、撮影光軸への進出位置でこの撮影光軸に沿った方向でかつ被写体に向かって矢印Ｂ方向に移動され、その撮影光軸に沿った移動可動範囲内で移動される。
【００８４】
また、退避レンズ保持枠２０は、電源をオンからオフにしたときには、撮影光軸進出位置でこの撮影光軸に沿った方向で被写体に向かう向きとは反対向きの矢印Ｃ方向へ移動され、ついで、矢印Ｄ方向に移動されて元の退避位置に戻る。
【００８５】
第１付勢部材としての板バネ３４は、その図２８の第３レンズ群７の所定の可動範囲内で、第３レンズ群７が第１方向に沿って被写体側に向かって移動するとき（矢印Ｂ方向へ移動するとき）に、第１方向への付勢を開始する。この実施例では、所定の可動範囲内でかつ所定の撮影範囲外のときに、板バネ３４は、所定の撮影範囲外のときに、すなわち、光軸方向に移動する途中の段階で、退避レンズ保持枠２０に当接を開始し、これにより、第１方向への付勢が開始される。また、逆に、第３レンズ群（退避レンズ）７が、進出位置における所定の可動範囲内で第１の方向に沿って被写体側と反対向きに移動し、かつ、撮影範囲外に位置したときに、板バネ３４は、退避レンズ保持枠２０への当接を終了する。
【００８６】
このように、板バネ３４は、退避レンズ保持枠２０が進出位置にある場合で所定の可動範囲内でかつ所定の撮影範囲内にある場合にのみ退避レンズ保持枠を第２の方向にのみ付勢し、退避レンズ保持枠２０が退避位置にあるときには、退避レンズ保持枠２０を付勢していない。
【００８７】
退避位置は、図１８〜図２１に示すように、可動鏡筒の外の位置でかつ固定枠２の中に配置され、カム部と移動規制部材としての移動阻止壁部３１とが当接することにより、退避レンズ保持枠が第１の方向に移動される。
【００８８】
第２付勢部材としての圧縮コイルスプリング２７は、図２８に示すように、退避レンズ保持枠２０が進出位置の所定の可動範囲内でかつ所定の撮影範囲内に位置する場合に第１方向に退避レンズ保持枠を付勢する。この圧縮コイルスプリング２７は、段３レンズ群（退避レンズ）７が退避位置にある場合には、退避レンズ保持枠２０を付勢せず、退避レンズ保持枠２０が進出位置にある場合に、退避レンズ保持枠２０に当接することにより付勢を開始する。この圧縮コイルスプリング２７は、退避レンズ保持枠２０が所定の可動範囲内の所定の撮影範囲内に位置する場合に、退避レンズ保持枠２０と当接し、退避レンズ保持枠２０を付勢する。すなわち、圧縮コイルスプリング２７は、退避レンズ保持枠２０を可動領域の途中段階で、その繰り出し方向とは逆方向に付勢する。
【００８９】
本発明の実施形態によれば、退避レンズ保持枠２０を繰り出し位置の途中段階で副軸１ａの方向に付勢すると共に、撮像面側に付勢する構成として、退避レンズ保持枠２０を撮影時にガタなく繰り出し位置に保持する構成としたので、退避レンズ保持枠２０の退避位置から繰り出し位置に向かっての駆動、退避レンズ保持枠２０の繰り出し位置から退避位置に向かっての駆動を軽い負荷で行うことができ、レンズ駆動装置の負荷の軽減、ひいては、小型の駆動モータ、低コストの駆動モータを用いることができることになり、デジタルカメラの一層の小型化、コンパクト化を図ることができる。
【００９０】
以上、この実施例では、第３レンズ群７を保持する退避レンズ保持枠２０を進出位置と退避位置との間で駆動する構成としたが、撮像素子３とこの第３レンズ群７との間に位置する第４レンズ群８を進出位置と退避位置との間で駆動する構成としても良い。
【００９１】
すなわち、図２９に示すように、リードスクリュ４４に雌ねじ部材４５を螺合させ、この雌ねじ部材４５にカムフォロワ部４６を設け、一方、レンズ保持枠４０にカム部（図示を略す）を設け、このカム部にカムフォロワ部４６を係合させることにより、退避レンズ保持枠２０を駆動するのと同様の構成を採用することができる。これらについては、退避レンズ群保持枠２０を駆動する構成と同様の構成を採用することができるので、その詳細な説明は省略する。
【００９２】
以上、実施例について説明したが、本発明には以下の構造ものが含まれるものである。
【００９３】
この実施例では、退避位置が可動鏡胴としての第１の回転筒１２の外部にあり、退避レンズ保持枠２０を可動鏡筒の外に退避させる構成としているが、これに限定されるものではない。例えば、退避位置が可動鏡胴の内部にあり、退避レンズ保持枠２０を可動鏡筒の中で退避させる構成としてもよい。
【００９４】
この実施例では、退避位置と撮影光軸上の進出位置との間で退避レンズ（第３レンズ群７）を移動させる際に、撮影光軸に略垂直な平面内で退避レンズ保持枠２０が回動する構成としているが、これに限定されるものではない。退避位置と撮影光軸上の進出位置との間で退避レンズ（第３レンズ群７）を移動させる際に、退避レンズ保持枠２０を撮影光軸と平行な回転軸周りに回転させながら、撮影光軸Ｏに沿った方向に移動させる構成としてもよい。
【００９５】
この実施例では、退避レンズ保持枠２０がカム面を有し、カム面と係合するカムフォロア部３３が移動して、退避レンズ保持枠２０を駆動する構成としているが、これに限定されるものではない。退避レンズ保持枠２０がカムフォロア部を有し、このカムフォロア部と係合するカム面を有するカム部をリードスクリュ２５に設け、このカム部の移動により、退避レンズ保持枠２０を駆動する構成としてもよい。また、固定枠２がカム面を有する構成としてもよい。
【００９６】
この実施例では、ステッピングモータ４ａによりリードスクリュー２５を回転させることにより、駆動部材としての雌ねじ部材２６を直進運動させる構成としているが、これに限定されるものではない。例えば、ボールネジにより駆動部材としての雌ねじ部材２６を直進運動させる構成としてもよい。
【００９７】
この実施例では、退避レンズ保持枠２０を駆動するためのステッピングモータ４ａを備える構成としているが、これに限定されるものではない。例えば、レンズ鏡胴の繰り出し、又は、繰り込みを行う駆動力を利用して、退避レンズ保持枠２０を駆動する構成としてもよい。
【００９８】
この実施例では、板バネ３４により、退避レンズ（第３レンズ群７）を撮影光軸上から退避した退避位置と撮影光軸上の進出位置との間で撮影光軸Ｏに接近又は離脱する方向に付勢しているが、これに限定されるものではない。例えば、コイルスプリング、磁力等その他の付勢手段を用いる構成としてもよい。
【００９９】
この実施例では、圧縮コイルスプリング２７によって退避レンズ（第３レンズ群７）を、撮影光軸Ｏと平行な方向に付勢しているが、これに限定されるものではない。例えば、板バネ、磁力等その他の付勢手段を用いる構成としてもよい。
【０１００】
この実施例では、圧縮コイルスプリング２７の一端２７ａが固定枠２に固定され、他端２７ｂが退避レンズ枠２０に当接可能な構成としているが、これに限定されるものではない。例えば、圧縮コイルスプリング２７の他端２７ｂが退避レンズ保持枠２０に固定され、一端２７ａが固定枠２に当接可能な構成としてもよい。
【０１０１】
この実施例では、退避レンズ保持枠２０の回転中心から離れた位置に配置された板バネ３４が退避レンズ保持枠２０を付勢することにより、撮影光軸上から退避した退避位置と撮影光軸上の進出位置との間で撮影光軸Ｏに接近する回動方向に付勢しているが、これに限定されるものではない。例えば、トーションスプリング等、退避レンズ保持枠２０の回転中心回りのトルクを発生させる付勢部材を用いて、撮影光軸上から退避した退避位置と撮影光軸上の進出位置との間で撮影光軸に接近する回動方向に付勢する構成としてもよい。
【０１０２】
この実施例では、本体部に固定された副軸１ａと退避レンズ保持枠２０を当接させて、退避レンズ（第３レンズ群７）を撮影光軸上に配置しているが、これに限定されるものではない。例えば、退避レンズ保持枠２０を可動鏡筒の一部に当接させて退避レンズ（第３レンズ群７）を撮影光軸上に配置する構成としてもよい。
【０１０３】
この実施例では、退避レンズ（第３レンズ群７）がズーム光学系の一部を構成しているが、これに限定されるものではない。例えば、退避レンズを合焦位置を調節するフォーカスレンズとして構成してもよい。
【０１０４】
この実施例では、複数のレンズからなる１つのレンズ群を退避レンズ保持枠２０が保持しているが、これに限定されるものではない。例えば、退避レンズ保持枠２０が１つのレンズを保持する構成であってもよい。
【０１０５】
この実施例では、退避レンズ保持枠２０を１つとして説明しているが、これに限定されるものではない。例えば、複数の退避レンズ保持枠２０を備える構成であってもよい。
【符号の説明】
【０１０６】
２…固定枠（本体部）
７…第３レンズ群
２０…退避レンズ保持枠
２７…圧縮コイルスプリング（第２付勢部材）
３４…板バネ（第１付勢部材）
【先行技術文献】
【特許文献】
【０１０７】
【特許文献１】特開２００６−３３０６５７号
【図１】
2010217511.tif 000003
【図２】
2010217511.tif 000004
【図３】
2010217511.tif 000005
【図４】
2010217511.tif 000006
【図５】
2010217511.tif 000007
【図６】
2010217511.tif 000008
【図７】
2010217511.tif 000009
【図８】
2010217511.tif 000010
【図９】
2010217511.tif 000011
【図１０】
2010217511.tif 000012
【図１１】
2010217511.tif 000013
【図１２】
2010217511.tif 000014
【図１３】
2010217511.tif 000015
【図１４】
2010217511.tif 000016
【図１５】
2010217511.tif 000017
【図１６】
2010217511.tif 000018
【図１７】
2010217511.tif 000019
【図１８】
2010217511.tif 000020
【図１９】
2010217511.tif 000021
【図２０】
2010217511.tif 000022
【図２１】
2010217511.tif 000023
【図２２】
2010217511.tif 000024
【図２３】
2010217511.tif 000025
【図２４ａ】
2010217511.tif 000026
【図２４ｂ】
2010217511.tif 000027
【図２５】
2010217511.tif 000028
【図２６】
2010217511.tif 000029
【図２７】
2010217511.tif 000030
【図２８】
2010217511.tif 000031
【図２９】
2010217511.tif 000032